(57)【要約】      （修正有）【課題】システムから排出された医療流体を容器内に保持することで、医療流体への曝露を防止することができるプライミング装置を提供する。【解決手段】プライミング装置は蓋１０６を有するカバー本体１０４およびチャンバ１０８と、入口ポート９０２と、チャンバに受け入れたガスを放出するための開口部１１２とを有するハウジング１０２を備え、医療用コネクタ９００およびハウジングがカバー本体に結合させられ、医療用コネクタの流体経路９０８およびハウジングの通路が封止されたままであるプライミングの準備ができた状態と、医療用コネクタがカバー本体の中へと前進させられ、ハウジングに流体に関してつながるプライミングの状態と、ハウジングがカバー本体から切り離され、医療用コネクタの汚染を防止するために蓋が閉じられるプライミング後の状態とを有する。【選択図】図２Ｂ
2022000166.tif 000002
【特許請求の範囲】
【請求項１】
チャンバおよび入口ポートを定めており、前記チャンバおよび前記入口ポートは流体に関してつながっているハウジングであって、前記チャンバの中から該ハウジングの外部へと延びており、ガスを前記チャンバから出すことができるように構成された開口部と、前記入口ポートから前記チャンバに向かって延びており、封止位置において前記入口ポートを封じ、開位置においては前記入口ポートを封じないバルブと、を備えているハウジングと、
開いた第１の端部と、開いた第２の端部と、前記第１の端部と前記第２の端部との間の軸とを有しており、前記第１の端部は雄のルアーコネクタと結合するように構成され、前記第２の端部は前記ハウジングの前記入口ポートに結合するように構成されたカバー本体と
を備えるプライミング装置。
【請求項２】
当該プライミング装置がプライミングの準備ができた状態にあるとき、前記入口ポートは、前記カバー本体の前記第２の端部の内側に位置し、前記バルブは、封止位置にある、請求項１に記載のプライミング装置。
【請求項３】
当該プライミング装置がプライミングの状態にあるとき、前記入口ポートが、雄のルアーコネクタのステムの一部分を覆って前進させられて、前記ハウジングを前記雄のルアーコネクタに流体に関して接続することにより、前記バルブが開き、前記雄のルアーコネクタと前記チャンバとの間の流体経路が生じる、請求項１に記載のプライミング装置。
【請求項４】
当該プライミング装置がプライミング後の状態にあるとき、前記ハウジングは、前記カバー本体から切り離され、前記カバー本体は、前記雄のルアーコネクタに結合したままである、請求項１に記載のプライミング装置。
【請求項５】
前記カバー本体は、該カバー本体の内面から軸方向内側へと延びる１つ以上の突起を備え、該突起は、内側断面幅を定める内面を有している、請求項１に記載のプライミング装置。
【請求項６】
前記突起は、１つ以上のタブである、請求項５に記載のプライミング装置。
【請求項７】
前記カバー本体の前記第１の端部は、前記雄のルアーコネクタの外面を受け入れるように構成された内側断面幅を備える、請求項１に記載のプライミング装置。
【請求項８】
ヒンジによって前記カバー本体の前記第２の端部に結合した蓋を備えており、該蓋は、前記ハウジングが前記カバー本体から切り離されたときに前記カバー本体の前記第２の端部を封じるように構成されている、請求項１に記載のプライミング装置。
【請求項９】
疎水性フィルタが、前記開口部に配置されている、請求項１に記載のプライミング装置。
【請求項１０】
前記ハウジングは、前記入口ポートとチャンバ入口との間に形成された通路を備え、前記チャンバ入口は、前記通路を前記チャンバから隔てている、請求項１に記載のプライミング装置。
【請求項１１】
前記チャンバ入口は、前記チャンバと前記通路とを流体に関して接続する前記入口ポートに向かって延びる管腔を備える、請求項１０に記載のプライミング装置。
【請求項１２】
ねじ山が、前記入口ポートから周状に外側へと延びており、該ねじ山は、プライミングの準備ができた状態およびプライミングの状態において前記雄のルアーコネクタと前記第２の端部との間に位置する、請求項１に記載のプライミング装置。
【請求項１３】
前記ねじ山は、前記カバー本体の内面から軸方向内側に延びる突起の内側断面幅よりも大きい外側断面幅を備える、請求項１２に記載のプライミング装置。
【請求項１４】
チャンバおよび入口ポートを定めており、前記チャンバおよび前記入口ポートは流体に関してつながっているハウジングであって、
前記チャンバの中から該ハウジングの外部へと延びており、ガスを前記チャンバから出すことができるように構成された開口部を備えているハウジングと、
雄のルアーコネクタと結合するように構成された開いた第１の端部と、前記ハウジングに結合した第２の端部と、前記第１の端部と前記第２の端部との間の軸とを有しており、少なくとも１つのウインドウを定めているスリーブと、
各々のウインドウの底部から前記第１の端部に向かって延びているアームと、
各々のアームの内面から半径方向に延びており、各々が斜面と、該斜面に対して横方向に延びる係合面と、前記斜面と前記係合面との間を移行する頂点領域とを備えている部材と
を備えるプライミング装置。
【請求項１５】
当該プライミング装置がプライミングの準備ができた状態にあるとき、前記雄のルアーコネクタは、前記スリーブへと部分的に挿入され、部材の前記係合面が、前記雄のルアーコネクタの下向きの縁部に係合する、請求項１４に記載のプライミング装置。
【請求項１６】
当該プライミング装置がプライミングの状態にあるとき、各々のアームは、前記頂点領域の間の断面幅が前記雄のルアーコネクタの外面に少なくとも等しくなるよう、前記軸から離れるように撓む、請求項１４に記載のプライミング装置。
【請求項１７】
前記入口ポートが、雄のルアーコネクタのステムの一部分を覆って前進させられて、前記ハウジングを前記雄のルアーコネクタに流体に関して接続することにより、前記バルブが開き、前記雄のルアーコネクタと前記チャンバとの間の流体経路が生じる、請求項１６に記載のプライミング装置。
【請求項１８】
疎水性フィルタが、前記開口部に配置されている、請求項１４に記載のプライミング装置。
【発明の詳細な説明】
【技術分野】
【０００１】
本開示は、広くには、流体送達用途に使用される医療用コネクタに関する。より具体的には、本開示は、閉じ込められた空気および流体を医療用コネクタを通って医療用コネクタから流すことを可能にすることによって流体送達システムをプライミングし、医療用コネクタを汚染から保護するために、医療用コネクタに接続されるように構成されたプライミング用キャップに関する。
【背景技術】
【０００２】
流体送達システムは、医療処置および血液などの医療流体を患者へと伝達および送達するために広く使用されている。流体が静脈内に送達されるとき、患者の血流への空気の導入を防止するために、流体送達システムから空気を取り除くことが重要である。一般的には、医療従事者は、閉じ込められた空気が放出されるまで開口部を通って流体送達システム内の流体を押すことによって、システムに閉じ込められた空気を取り除く。空気が取り除かれると、システム内の流体が放出され始める。ひとたび医療流体が放出され始めたならば、流体の流路が閉じられる。
【発明の概要】
【０００３】
空気が、皮下注射針を必要とせず、代わりにシリンジまたはＩＶラインの端部のルアーなどのアクティベータを使用してコネクタ内のバルブを通る流体経路を生じさせるルアー作動式コネクタを使用して、流体送達システムから放出される。コネクタを取り外すことで、ラインが切り離されるときにバルブが閉じる。次いで、流体送達システムを患者に結合させる前に、流体送達システムのコネクタを消毒しなければならない。コネクタの消毒は、患者の血流の汚染または感染の防止に役立つ。
【０００４】
化学療法の処置など、いくつかの事例においては、医療流体との繰り返しの接触が、医療従事者にとって有害になる可能性がある。したがって、システムから排出された医療流体を容器内に保持することで、医療流体への曝露を防止することが重要である。
【０００５】
本開示の一態様は、チャンバおよび入口ポートを定めており、チャンバおよび入口ポートは流体に関してつながっているハウジングであって、チャンバの中からハウジングの外部へと延びており、ガスをチャンバから出すことができるように構成された開口部と、入口ポートからチャンバに向かって延びており、封止位置において入口ポートを封じ、開位置においては入口ポートを封じないバルブと、を備えているハウジングと；開いた第１の端部と、開いた第２の端部と、第１の端部と第２の端部との間の軸とを有しており、第１の端部は雄のルアーコネクタと結合するように構成され、第２の端部はハウジングの入口ポートに結合するように構成されたカバー本体と；を備えるプライミング装置を提供する。
【０００６】
いくつかの実施形態においては、プライミング装置がプライミングの準備ができた状態にあるとき、入口ポートが、カバー本体の第２の端部の内側に位置し、バルブは、封止位置にある。特定の態様においては、プライミング装置がプライミングの状態にあるとき、入口ポートが、雄のルアーコネクタのステムの一部分を覆って前進させられて、ハウジングを雄のルアーコネクタに流体に関して接続することにより、バルブが開き、雄のルアーコネクタとチャンバとの間の流体経路が生じる。いくつかの態様においては、プライミング装置がプライミング後の状態にあるとき、ハウジングは、カバー本体から切り離され、カバー本体は、雄のルアーコネクタに結合したままである。
【０００７】
本開示の特定の場合において、カバー本体は、カバー本体の内面から軸方向内側へと延びる１つ以上の突起を備え、突起は、内側断面幅を定める内面を有する。いくつかの実施形態において、突起は、１つ以上のタブである。いくつかの場合において、カバー本体の第１の端部は、雄のルアーコネクタの外面を受け入れるように構成された内側断面幅を備える。
【０００８】
本開示のいくつかの実施形態は、ヒンジによってカバー本体の第２の端部に結合した蓋を提供し、蓋は、ハウジングがカバー本体から切り離されたときにカバー本体の第２の端部を封じるように構成される。いくつかの実施形態においては、疎水性フィルタが、開口部内に配置される。本開示の特定の実施例によれば、ハウジングは、入口ポートとチャンバ入口との間に形成された通路を備え、チャンバ入口は、通路をチャンバから隔てる。いくつかの場合、チャンバ入口は、チャンバと通路とを流体に関して接続する入口ポートに向かって延びる管腔を備える。
【０００９】
本開示の特定の実施例によれば、ねじ山が、入口ポートから周状に外側へと延び、ねじ山は、プライミングの準備ができた状態およびプライミングの状態において雄のルアーコネクタと第２の端部との間に位置する。いくつかの実施例において、ねじ山は、カバー本体の内面から軸方向内側に延びる突起の内側断面幅よりも大きい外側断面幅を備える。
【００１０】
本開示の一態様は、チャンバおよび入口ポートを定めており、チャンバおよび入口ポートは流体に関してつながっているハウジングであって、チャンバの中からハウジングの外部へと延びており、ガスをチャンバから出すことができるように構成された開口部を備えているハウジングと；雄のルアーコネクタと結合するように構成された開いた第１の端部と、ハウジングに結合した第２の端部と、第１の端部と第２の端部との間の軸とを有しており、少なくとも１つのウインドウを定めているスリーブと；各々のウインドウの底部から第１の端部に向かって延びているアームと；各々のアームの内面から半径方向に延びており、各々が斜面と、斜面に対して横方向に延びる係合面と、斜面と係合面との間を移行する頂点領域とを備えている部材と；を備えるプライミング装置を提供する。
【００１１】
いくつかの実施形態においては、プライミング装置がプライミングの準備ができた状態にあるとき、雄のルアーコネクタは、スリーブへと部分的に挿入され、部材の係合面が、雄のルアーコネクタの下向きの縁部に係合する。特定の態様においては、プライミング装置がプライミングの状態にあるとき、各々のアームは、頂点領域の間の断面幅が雄のルアーコネクタの外面に少なくとも等しくなるよう、軸から離れるように撓む。本開示の特定の場合においては、入口ポートが、雄のルアーコネクタのステムの一部分を覆って前進させられて、ハウジングを雄のルアーコネクタに流体に関して接続することにより、バルブが開き、雄のルアーコネクタとチャンバとの間の流体経路が生じる。いくつかの場合には、疎水性フィルタが、開口部内に配置される。
【００１２】
本主題の技術のさらなる特徴および利点が、以下の説明に記載され、一部は以下の説明から明らかになり、あるいは本主題の技術を実施することによって習得可能である。本主題の技術の利点は、本明細書および特許請求の範囲ならびに添付の図面に特に指摘される構造によって、実現および達成されるであろう。
【００１３】
上述の一般的な説明および以下の詳細な説明の両方が、例示および説明のためのものであり、特許請求の範囲に記載のとおりの本主題の技術のさらなる説明の提供を意図していることを、理解されたい。
【図面の簡単な説明】
【００１４】
本主題の技術のさらなる理解を提供するために用意され、本明細書に組み込まれて本明細書の一部を構成する添付の図面は、本主題の技術のいくつかの態様を示しており、本明細書と併せて、本主題の技術の原理を説明する役割を果たす。
【００１５】
【図１】ルアーコネクタおよび本開示の態様によるプライミング装置の実施形態の正面図を示している。
【図２Ａ】プライミングの準備ができた状態の図１のルアーコネクタおよびプライミング装置の正面断面図を示している。
【図２Ｂ】プライミングの状態の図１のルアーコネクタおよびプライミング装置の正面断面図を示している。
【図３】本開示の態様によるプライミング後の状態の図１のルアーコネクタおよびプライミング装置の正面斜視図を示している。
【図４】本開示の態様によるプライミング後の状態の図１のルアーコネクタおよびプライミング装置の正面図を示している。
【図５】ルアーコネクタおよび本開示の態様によるプライミング装置の実施形態の正面斜視図を示している。
【図６】プライミングの準備ができた状態の図５のルアーコネクタおよびプライミング装置の正面断面図を示している。
【図７】ルアーコネクタおよび本開示の態様によるプライミング装置の実施形態の正面斜視図を示している。
【図８】プライミングの準備ができた状態の図７のルアーコネクタおよびプライミング装置の正面断面図を示している。
【図９Ａ】本開示の態様によるプライミングの準備ができた状態のルアーコネクタおよびプライミング装置の実施形態の正面図を示している。
【図９Ｂ】本開示の態様によるプライミングの状態のルアーコネクタおよびプライミング装置の実施形態の正面図を示している。
【図１０】図９のプライミング装置の正面斜視図を示している。
【図１１】図９のプライミング装置の正面断面図を示している。
【図１２Ａ】プライミングの準備ができた状態の図９のルアーコネクタおよびプライミング装置の正面断面図を示している。
【図１２Ｂ】プライミングの状態の図９のルアーコネクタおよびプライミング装置の正面断面図を示している。
【発明を実施するための形態】
【００１６】
以下の詳細な説明においては、本主題の技術の理解をもたらすために、具体的な詳細が説明される。しかしながら、本主題の技術をこれらの具体的な詳細の一部を用いずに実施できることは、当業者にとって明らかであろう。他の場合には、本主題の技術を不明瞭にしてしまうことがないよう、周知の構造および技術は、詳細には示されていない。
【００１７】
「一態様」などの表現は、そのような態様が本主題の技術に必須であることを意味するものではなく、そのような態様が本主題の技術のすべての構成に当てはまることを意味するものでもない。一態様に関する開示が、すべての構成に当てはまり得る、あるいは１つの構成または複数の構成に当てはまり得る。一態様は、本開示の１つ以上の実施例を提供し得る。「一態様」などの表現は、１つの態様または複数の態様を指すことができ、逆もまた同様である。「一実施形態」などの表現は、そのような実施形態が本主題の技術に不可欠であることを意味するものではなく、そのような実施形態が本主題の技術のすべての構成に当てはまることを意味するものでもない。一実施形態に関する開示が、すべての実施形態に当てはまり得る、あるいは１つの実施形態または複数の実施形態に当てはまり得る。一実施形態は、本開示の１つ以上の実施例を提供し得る。「一実施形態」などの表現は、１つの実施形態または複数の実施形態を指すことができ、逆もまた同様である。「一構成」などの表現は、そのような構成が本主題の技術に不可欠であることを意味するものではなく、そのような構成が本主題の技術のすべての構成に当てはまることを意味するものでもない。一構成に関する開示が、すべての構成に当てはまり得る、あるいは１つの構成または複数の構成に当てはまり得る。一構成は、本開示の１つ以上の実施例を提供し得る。「一構成」などの表現は、１つの構成または複数の構成を指すことができ、逆もまた同様である。
【００１８】
ここで図１を参照すると、医療用コネクタ９００および本開示の態様によるプライミング装置１００の実施形態が示されている。プライミング装置１００は、ハウジング１０２とカバー本体１０４とを備え、カバー本体１０４は、ハウジング１０２を医療用コネクタ９００と相互接続する。いくつかの実施形態において、カバー本体１０４は、蓋１０６を備える。医療用コネクタ９００をハウジング１０２へとプライミングした後で、ハウジング１０２をカバー本体１０４から分離させることができ、カバー本体１０４を、医療用コネクタ９００の汚染を防止するために蓋１０６によって閉じることができる。
【００１９】
図２Ａを参照すると、プライミングの準備ができた状態の図１のプライミング装置１００が示されている。説明の目的で、医療用コネクタ９００は、入口ポート９０２と、出口ポート９１２と、入口ポート９０２と出口ポート９１２との間の本体９０４とを有する雄のルアーコネクタとして示されている。ルアー部分９０６が、本体９０４の内部から出口ポート９１２に向かって延びている。流体経路９０８が、入口ポート９０２から本体９０４およびルアー部分９０６を通って延びている。ポスト９１０が、医療用コネクタ９００が閉状態にあるとき、ルアー部分９０６の流体経路を通って延びる。閉状態において、ポスト９１０は、ルアー部分９０６の開いた先端部を封じることで、流体経路９０８を閉鎖する。弾性ベローズ９１９が、入口ポート９０２とポスト９１０との間を延びている。いくつかの実施形態においては、細長い円筒形のアセンブリまたはフィンガであってよい細長い部材９２０が、ポスト９１０に接続され、ルアー部分９０６の外側に沿って出口ポート９１２に向かって延びている。医療用コネクタ９００が開状態にあるとき、細長い部材９２０は、ベローズ９１９が細長い部材９２０と入口ポート９０２との間で圧縮され、ポスト９１０が入口ポート９０２に向かってルアー部分９０６の中へと後退させられることで、流体経路９０８が開かれるように、係合によって本体９０４内に後退させられる。
【００２０】
ハウジング１０２は、チャンバ１０８および入口ポート１１０を定めており、ここでチャンバ１０８および入口ポート１１０は、ハウジング１０２内で流体に関してつながっている。さらに、ハウジング１０２は、チャンバ１０８内からハウジング１０２の外部へと延びる開口部１１２を定めている。いくつかの実施形態において、開口部１１２は、ハウジング１０２のうちの入口ポート１１０とは反対側の部分を通って延びる。開口部１１２は、ガスをチャンバ１０８から出すことを可能にする。開口部１１２には、フィルタ（図示せず）が配置される。いくつかの実施形態において、フィルタは、プライミング装置１００が医療用コネクタ９００のプライミングに利用されるときに、ガスをチャンバ１０８から出すことを可能にする疎水性フィルタである。
【００２１】
バルブ１１４が、ハウジング１０２内に配置され、入口ポート１１０からチャンバ１０８に向かって延びている。いくつかの実施形態において、バルブ１１４は、流体経路を定め、一実施形態においては、ヘッド部１１６およびベローズ部１１８を含む。図２Ａに示される封止位置において、バルブ１１４は、入口ポート１１０を封じる。図２Ｂに示される開位置において、バルブ１１４は、入口ポート１１０を封じない。
【００２２】
いくつかの実施形態において、チャンバ１０８は、入口ポート１１０と開口部１１２との間のチャンバ入口１２２によって通路１２０から分離される。チャンバ入口１２２は、ハウジング１０２の内面から半径方向内側へと延びることで、通路１２０をチャンバ１０８から分離するとともに、通路１２０をチャンバ１０８へと流体に関して接続するオリフィスまたは管腔１２４を形成している。一実施形態において、チャンバ入口１２２は、ベローズの一部分がハウジング１０２の内面とチャンバ入口１２２の外面との間に据えられるように、バルブ１１４のべローズ部１１８へと部分的に延びている。いくつかの実施形態において、バルブ１１４は、チャンバ入口１２２に連結され、チャンバ入口１２２は、バルブ１１４とチャンバ入口１２２との間に密封された界面をもたらすようにベローズ内へと延びる。プライミングの準備ができた状態において（すなわち、ベローズ部１１８が伸びているとき）、ヘッド部１１６は、入口ポート１１０へと延び、バルブ１１４と入口ポート１１０との間の密封された界面をもたらす。
【００２３】
図２Ａに示されているプライミングの準備ができた状態において、カバー本体１０４は、ハウジング１０２を医療用コネクタ９００と相互接続する。カバー本体１０４は、開いた第１の端部１２６と、開いた第２の端部１２８と、第１の端部１２６と第２の端部１２８との間の軸１３０とを備える。プライミングの準備ができた状態において、医療用コネクタ９００の出口ポート９１２およびハウジング１０２の入口ポート１１０は、カバー本体１０４に連結され、軸１３０に沿って整列させられる。しかしながら、医療用コネクタ９００の流体経路９０８およびハウジング１０２の通路１２０は、依然として封じられたままである。
【００２４】
いくつかの実施形態において、カバー本体１０４は、第１の端部１２６と第２の端部１２８との間で円筒状に形作られる。第１の端部１２６は、出口ポート９１２を受け入れるように構成された内側断面幅を備える。いくつかの実施形態において、第１の端部１２６の内側断面幅は、出口ポート９１２が第２の端部１２８に向かって部分的にカバー本体１０４へと圧入されるように、出口ポート９１２の外側断面幅に等しい。
【００２５】
第２の端部１２８は、入口ポート１１０を第１の端部１２６に向かって部分的に受け入れるように構成された内側断面幅を備える。いくつかの実施形態において、カバー本体１０４は、第２の端部１２８においてカバー本体１０４の内面から軸方向内側へと延びる１つ以上の突起１３２を備える。突起１３２は、内側断面幅を定める内面を有する。突起１３２の内側断面幅は、入口ポート１１０の外側断面幅よりも小さい。いくつかの実施形態において、突起１３２は、１つ以上の可撓性タブである。可撓性タブは、入口ポート１１０を第１の端部１２６に向かって前進させることができるように撓む。入口ポート１１０の外側断面幅よりも小さい外側断面幅を有しているハウジング１０２の一部分により、タブは、プライミングの準備ができた状態において、入口ポート１１０をタブと第１の端部１２６との間に保持することができる。
【００２６】
図２Ｂに示されるプライミング状態において、医療用コネクタ９００の出口ポート９１２およびハウジング１０２の入口ポート１１０は、互いに結合し、カバー本体１０４の内側に依然として位置する。プライミング状態においては、流体の経路が、医療用コネクタ９００の流体経路９０８とハウジング１０２の通路１２０との間に開かれる。
【００２７】
プライミング装置１００をプライミング状態にするために、医療用コネクタ９００をハウジング１０２に向かって移動させることで、ルアー部分９０６を入口ポート１１０の中へと前進させて、医療用コネクタ９００をハウジング１０２に流体に関して結合させることにより、バルブ１１４が開かれ、医療用コネクタ９００とチャンバ１０８との間の流体経路が生み出される。いくつかの実施形態においては、ルアー部分９０６が入口ポート１１０に向かって前進させられるとき、入口ポート１１０の上面１３４が細長い部材９２０に係合し、ベローズ９１９を圧縮するとともに、ポスト９１０を入口ポート９０２に向かって移動させることにより、流体経路９０８が開かれる。ルアー部分９０６が入口ポート１１０の中へと前進させられるにつれて、ルアー部分９０６が通路１２０内に受け入れられ、入口ポート１１０が開かれる。いくつかの実施形態において、ルアー部分９０６は、バルブ１１４のヘッド部１１６をチャンバ入口１２２に向かって押すことで、ベローズ部１１８をつぶし、バルブ１１４を通る流体経路を開く。
【００２８】
いくつかの実施形態においては、ねじ山１３６が、入口ポート１１０の外面から周状に外側へと延びている。医療用コネクタ９００およびハウジング１０２がお互いに向かって移動させられ、軸１３０を中心にして回転させられるとき、ねじ山１３６は、出口ポート９１２の内面に位置する相手方のねじ山９１４に係合し、ハウジング１０２を医療用コネクタ９００に螺合させる。
【００２９】
プライミング状態において、医療用コネクタ９００へと接続されたシステムが、システムから医療用コネクタ９００を通ってプライミング装置１００のチャンバ１０８へとガスを移すことによってプライミングされる。ガスが流体経路を通ってチャンバ１０８へと移されるとき、ガスを、開口部１１２を通ってチャンバ１０８から出すことができる。いくつかの実施形態において、ガスは、システム内の流体およびガスをプライミング装置１００へと移動させることによってプライミング装置１００へと移される。開口部１１２に配置された疎水性フィルタによって、チャンバ１０８内に流体を保持しつつハウジング１０２からガスを出すことができ、プライミング装置１００を任意の向きで使用することが可能になる。
【００３０】
図３を参照すると、プライミング後の状態のプライミング装置１００が示されている。プライミング後の状態において、ハウジング１０２がカバー本体１０４から切り離されている一方で、カバー本体１０４は医療用コネクタ９００に結合したままである。プライミング装置１００は、タブ１３２を乗り越え（図３において、１０２で指し示されている造作が、この乗り越えを実際に行う）、プライミング装置１００を第１の端部１２６から遠ざかる方向に移動させることによって、カバー本体１０４から切り離される。いくつかの実施形態においては、１つ以上のリブ１４０が、ハウジング１０２の外面に沿って延びている。あるいは、ハウジング１０２の外面は、第２の端部１２８と開口部１１２との間の１つ以上のチャネルを備える。いくつかの実施形態においては、リブ１４０が、ハウジング１０２の外面のうちのチャンバ入口１２２から開口部１１２までの部分に沿って延びる。いくつかの実施形態においては、１つ以上のチャネル１４２が、カバー本体１０４の外面に沿って延びる。あるいは、カバー本体１０４の外面は、１つ以上のリブを備える。リブ１４０およびチャネル１４２の各々は、ハウジング１０２およびカバー本体１０４の剛性を高めるとともに、軸１３０を中心にしてハウジング１０２およびカバー本体１０４のいずれかを結合させ、切り離し、あるいは回転させる際により大きなねじりのてこ比を提供する。
【００３１】
さらに図３を参照すると、蓋１０６は、カバー本体１０４に結合している。いくつかの実施形態において、蓋１０６は、ヒンジ１４４によってカバー本体１０４の第２の端部１２８に回転可能に結合している。いくつかの実施形態において、ヒンジ１４４は、リビングヒンジ（ｌｉｖｉｎｇ  ｈｉｎｇｅ）である。ハウジング１０２がカバー本体１０４から切り離された後に、蓋１０６は、ヒンジ１４４を中心にして回転させられ、図４に最も良く示されているように第２の端部１２８を覆う。いくつかの実施形態においては、第２の端部１２８から延びるカバー本体１０４の外面の一部分１４６が、小さくされた断面幅を備える。蓋１０６が第２の端部１２８を覆うように回転させられるとき、蓋の外面がカバー本体１０４の外面と同一面になるように、カバー本体１０４の外面１４８の小さくされた断面幅を有する部分１４６が、蓋１０６に受け入れられる。
【００３２】
次に図５および図６を参照すると、医療用コネクタ９００および本開示の態様によるプライミング装置２００のいくつかの実施形態が示されている。プライミング装置２００は、ハウジング２０２とカバー本体２０４とを備え、カバー本体２０４は、ハウジング２０２を医療用コネクタ９００と相互接続する。いくつかの実施形態において、カバー本体２０４は、蓋２０６を備える。医療用コネクタ９００をハウジング２０２へとプライミングした後で、ハウジング２０２をカバー本体２０４から分離させることができ、カバー本体２０４を、医療用コネクタ９００の汚染を防止するために蓋２０６によって閉じることができる。
【００３３】
図６を参照すると、プライミングの準備ができた状態のプライミング装置２００が示されている。説明の目的で、医療用コネクタ９００は、入口ポート９０２と、出口ポート９１２と、入口ポート９０２と出口ポート９１２との間の本体９０４とを有する雄のルアーコネクタとして示されている。ルアー部分９０６が、本体９０４の内部から出口ポート９１２に向かって延びている。流体経路９０８が、入口ポート９０２から本体９０４およびルアー部分９０６を通って延びている。ポスト９１０が、医療用コネクタ９００が閉状態にあるとき、ルアー部分９０６の流体経路を通って延びる。閉状態において、ポスト９１０は、ルアー部分９０６の開いた先端部を封じることで、流体経路９０８を閉鎖する。弾性ベローズ９１９が、入口ポート９０２とポスト９１０との間を延びている。いくつかの実施形態においては、細長い部材９２０（図６では見て取ることができない）が、ポスト９１０に接続され、ルアー部分９０６の外側に沿って出口ポート９１２に向かって延びている。医療用コネクタ９００が開状態にあるとき、ベローズ９１９が圧縮され、ポスト９１０が入口ポート９０２に向かってルアー部分９０６の中へと後退させられることで、流体経路９０８が開かれる。
【００３４】
ハウジング２０２は、チャンバ２０８および入口ポート２１０を定めており、ここでチャンバ２０８および入口ポート２１０は、ハウジング２０２内で流体に関してつながっている。さらに、ハウジング２０２は、チャンバ２０８内からハウジング２０２の外部へと延びる開口部２１２を定めている。いくつかの実施形態において、開口部２１２は、ハウジング２０２のうちの入口ポート２１０とは反対側の部分を通って延びる。開口部２１２は、ガスをチャンバ２０８から出すことを可能にする。フィルタ２３８が、開口部２１２に配置されている。いくつかの実施形態において、フィルタは、プライミング装置２００が医療用コネクタ９００のプライミングに利用されるときに、ガスをチャンバ２０８から出すことを可能にする疎水性フィルタである。
【００３５】
バルブ２１４が、ハウジング２０２内に配置され、入口ポート２１０からチャンバ２０８に向かって延びている。いくつかの実施形態において、バルブ２１４は、流体経路を定め、いくつかの実施形態においては、ヘッド部２１８およびベローズ部２１８を含む。図６に示される封止位置において、バルブ２１４は、入口ポート２１０を封じる。開位置（図示せず）において、バルブ２１４は、入口ポート２１０を封じない。
【００３６】
チャンバ２０８は、入口ポート２１０と開口部２１２との間のチャンバ入口２２２によって通路２２０から分離される。チャンバ入口２２２は、ハウジング２０２の内面から半径方向内側へと延びることで、通路２２０をチャンバ２０８から分離するとともに、通路２２０をチャンバ２０８へと流体に関して接続するオリフィスまたは管腔２２４を形成している。いくつかの実施形態において、チャンバ入口２２２は、ベローズの一部分がハウジング１０２の内面とチャンバ入口２２２の外面との間に据えられるように、バルブ２１４のべローズ部２１６へと部分的に延びている。いくつかの実施形態において、バルブ２１４は、チャンバ入口２２２に連結され、チャンバ入口２２２は、バルブ２１４とチャンバ入口２２２との間に密封された界面をもたらすようにベローズ内へと延びる。プライミングの準備ができた状態において（すなわち、ベローズ部２１８が伸びているとき）、ヘッド部２１８は、入口ポート２１０へと延び、バルブ２１４と入口ポート２１０との間の密封された界面をもたらす。
【００３７】
チャンバ２０８の外面は、通路２２０の外側断面幅よりも大きい断面幅を備える。開口部２１２を定めているハウジング２０２の外面は、チャンバ２０８よりも大きい外側断面幅を備え、外側リッジ２５０を形成する。棚状部２５２が、リッジ２５０の内面とチャンバ２０８との間に形成されている。フィルタ２３８の外側断面幅は、リッジ２５０の内側断面幅以上であり、フィルタ２３８を開口部２１２内に据えることを可能にしている。開口部２１２に据えられたとき、棚状部２５２が、チャンバ２０８へと向かうフィルタ２３８の移動を防止する。
【００３８】
カバー本体２０４は、ハウジング２０２を医療用コネクタ９００と相互接続する。カバー本体２０４は、開いた第１の端部２２６と、開いた第２の端部２２８と、第１の端部２２６と第２の端部２２８との間の軸２３０とを備える。プライミングの準備ができた状態において、医療用コネクタ９００の出口ポート９１２およびハウジング２０２の入口ポート２１０は、カバー本体２０４に連結され、軸２３０に沿って整列させられる。プライミングの準備ができた状態において、医療用コネクタ２００の流体経路９０８およびハウジング２０２の通路２２０は、依然として封じられたままである。
【００３９】
カバー本体２０４は、第１の端部２２６と第２の端部２２８との間で円筒状に形作られる。第１の端部２２６は、医療用コネクタ９００の出口ポート９１２を受け入れるように構成された内側断面幅を備える（出口ポートに新たな番号を与える）。いくつかの実施形態において、第１の端部２２６の内側断面幅は、出口ポート９１２が第２の端部２２８に向かって部分的にカバー本体２０４へと圧入されるように、出口ポート９１２の外側断面幅に等しい。
【００４０】
第２の端部２２８は、入口ポート２１０を第１の端部２２６に向かって部分的に受け入れるように構成された内側断面幅を備える。いくつかの実施形態において、カバー本体２０４は、第２の端部２２８においてカバー本体２０４の内面から軸方向内側へと延びる１つ以上の突起２３２を備える。突起２３２は、内側断面幅を定める内面を有する。突起２３２の内側断面幅は、入口ポート２１０の外側断面幅よりも小さい。いくつかの実施形態において、突起２３２は、１つ以上の可撓性タブである。可撓性タブは、入口ポート２１０を第１の端部２２６に向かって前進させることができるように撓む。入口ポート２１０の外側断面幅よりも小さい外側断面幅を有しているハウジング２０２の一部分により、タブは、プライミングの準備ができた状態において、入口ポート２００をタブと第１の端部２２６との間に保持することができる。
【００４１】
プライミング装置２００をプライミング状態にするために、医療用コネクタ９００をハウジング２０２に向かって移動させることで、ルアー部分９０６を入口ポート２１０の中へと前進させて、ハウジング２０２を医療用コネクタ９００に流体に関して結合させることにより、バルブ２１４が開かれ、医療用コネクタ９００とチャンバ２０８との間の流体経路が生み出される。いくつかの実施形態においては、ルアー部分９０６が入口ポート２１０に向かって前進させられるとき、入口ポート２１０の上面２３４が細長い部材９２０に係合し、ポスト９１０を入口ポート９０２に向かって移動させることにより、経路９０８が開かれる。ルアー部分９０６が入口ポート２１０の中へと前進させられるにつれて、ルアー部分９０６が通路２２０内に受け入れられ、入口ポート２１０が開かれる。いくつかの実施形態において、ルアー部分９０６は、バルブ２１４のヘッド部２１８をチャンバ入口２２２に向かって押すことで、ベローズ部２１８をつぶし、バルブ２１４を開く。
【００４２】
ねじ山２３６が、入口ポート２１０の外面から周状に外側へと延びている。医療用コネクタ９００がハウジング２０２に向かって移動させられ、軸２３０を中心にして回転させられるとき、ねじ山２３６は、出口ポート９１２の内面に位置する相手方のねじ山９１４に係合し、ハウジング２０２を医療用コネクタ９００に螺合させる。
【００４３】
プライミング状態において、医療用コネクタ９００へと接続されたシステムが、システムから医療用コネクタ９００を通ってプライミング装置２００のチャンバ２０８へとガスを移すことによってプライミングされる。ガスが流体経路を通ってチャンバ２０８へと移されるとき、ガスを、開口部２１２を通ってチャンバ２０８から出すことができる。いくつかの実施形態において、ガスは、システム内の流体をプライミング装置２００へと移動させることによってプライミング装置２００へと移される。フィルタ２３８が疎水性フィルタである場合、開口部２１２に配置されたフィルタ２３８は、チャンバ２０８内に流体を保持しつつハウジング２０２からガスを出すことを可能にし、プライミング装置２００を任意の向きで使用することを可能にする。
【００４４】
プライミング後の状態において、ハウジング２０２がカバー本体２０４から切り離される一方で、カバー本体２０４は医療用コネクタ９００に結合したままである。プライミング装置２００は、入口ポート２１０のねじ山２３６を医療用コネクタ９００のねじ山９１４から外し、プライミング装置２００を第１の端部２２６から遠ざかるように動かすことによって、カバー本体２０４から切り離される。１つ以上のチャネル２４２が、カバー本体２０４の外面に沿って延びる。いくつかの実施形態においては、１つ以上のチャネル２４２およびリブ２５４が、カバー本体２０４の外面を巡って交互に配置される。リブ２５４およびチャネル２４２の各々は、カバー本体２０４の剛性を高めるとともに、軸２３０を中心にしてハウジング２０２およびカバー本体２０４のいずれかを結合させ、切り離し、あるいは回転させる際により大きなねじりのてこ比を提供する。
【００４５】
蓋２０６が、ヒンジ２４４によってカバー本体２０４の第２の端部２２８に回転可能に結合している。いくつかの実施形態において、ヒンジ２４４は、リビングヒンジであり、すなわち隣接する部分を結合させるために可撓性材料が使用され、この材料が、ヒンジにおいて相対的にスライドする別個の構成要素に代わって、相対の回転運動をもたらすように撓み、あるいは変形する。いくつかの実施形態において、蓋２０６の一部分２５６は、カバー本体２０４の第２の端部２２８の内側断面幅に等しい断面幅を有する。ハウジング２０２がカバー本体２０４から切り離された後、蓋２０６は、蓋２０６の小さくされた断面幅を有する部分２５６がカバー本体２０４の第２の端部２２８に受け入れられて、第２の端部２２８を覆うように、ヒンジ２４４を中心にして回転させられる。
【００４６】
次に図７および図８を参照すると、医療用コネクタ９００および本開示の態様によるプライミング装置３００のいくつかの実施形態が示されている。プライミング装置３００は、ハウジング３０２とカバー本体３０４とを備え、カバー本体３０４は、ハウジング３０２を医療用コネクタ９００と相互接続する。いくつかの実施形態において、カバー本体３０４は、蓋３０６を備える。医療用コネクタ９００をハウジング３０２へとプライミングした後で、ハウジング３０２をカバー本体３０４から分離させることができ、カバー本体３０４を、医療用コネクタ９００の汚染を防止するために蓋３０６によって閉じることができる。
【００４７】
図８を参照すると、プライミングの準備ができた状態のプライミング装置３００が示されている。説明の目的で、医療用コネクタ９００は、入口ポート９０２と、出口ポート９１２と、入口ポート９０２と出口ポート９１２との間の本体９０４とを有する雄のルアーコネクタとして示されている。ルアー部分９０６が、本体９０４の内部から出口ポート９１２に向かって延びている。流体経路９０８が、入口ポート９０２から本体９０４およびルアー部分９０６を通って延びている。ポスト９１０が、医療用コネクタ９００が閉状態にあるとき、ルアー部分９０６の流体経路を通って延びる。閉状態において、ポスト９１０は、ルアー部分９０６の開いた先端部を封じることで、流体経路９０８を閉鎖する。弾性ベローズ９１９が、入口ポート９０２とポスト９１０との間を延びている。いくつかの実施形態においては、細長い部材９２０が、ポスト９１０に接続され、ルアー部分９０６の外側に沿って出口ポート９１２に向かって延びている。医療用コネクタ９００が開状態にあるとき、ポスト９１０が入口ポート９０２に向かってルアー部分９０６の中へと位置することで、流体経路９０８が開かれる。
【００４８】
ハウジング３０２は、チャンバ３０８および入口ポート３１０を定めており、ここでチャンバ３０８および入口ポート３１０は、ハウジング３０２内で流体に関してつながっている。チャンバ３０８の外面は、通路３２０の外側断面幅よりも大きい断面幅を備える。チャンバ３０８と通路３２０との間のハウジング３０２の外面は、チャンバ３０８と入口ポート３１０との間に定められた軸３３０から周状に外側へと延びる表面２５８を含む。表面２５８を貫く開口部が、チャンバ３０８内からハウジング３０２の外側まで延びている。開口部３１２は、ガスをチャンバ３０８から出すことを可能にする。フィルタ３３８が、開口部３１２に配置されている。いくつかの実施形態において、フィルタは、プライミング装置３００が医療用コネクタ９００のプライミングに利用されるときに、ガスをチャンバ３０８から出すことを可能にする疎水性フィルタである。
【００４９】
カバー本体３０４は、ハウジング３０２を医療用コネクタ９００と相互接続する。カバー本体３０４は、開いた第１の端部３２６および開いた第２の端部３２８を備え、軸３３０が第１の端部３２６と第２の端部３２８との間を延びている。プライミングの準備ができた状態において、医療用コネクタ９００の出口ポート９１２およびハウジング３０２の入口ポート３１０は、カバー本体３０４に連結され、軸３３０に沿って整列させられる。プライミングの準備ができた状態において、医療用コネクタ９００の流体経路９０８およびハウジング３０２の通路３２０は、依然として封じられたままである。
【００５０】
カバー本体３０４は、第１の端部３２６と第２の端部３２８との間で円筒状に形作られる。第１の端部３２６は、出口ポート９１２を受け入れるように構成された内側断面幅を備える。いくつかの実施形態において、第１の端部３２６の内側断面幅は、出口ポート９１２が第２の端部３２８に向かって部分的にカバー本体３０４へと圧入されるように、出口ポート９１２の外側断面幅に等しい。
【００５１】
第２の端部３２８は、入口ポート３１０を第１の端部３２６に向かって部分的に受け入れるように構成された内側断面幅を備える。いくつかの実施形態において、カバー本体３０４は、第２の端部３２８においてカバー本体３０４の内面から軸方向内側へと延びる１つ以上の突起３３２を備える。突起３３２は、内側断面幅を定める内面を有する。突起３３２の内側断面幅は、入口ポート３１０の外側断面幅よりも小さい。いくつかの実施形態において、突起３３２は、１つ以上の可撓性タブである。可撓性タブは、入口ポート３１０を第１の端部３２６に向かって前進させることができるように撓む。入口ポート３１０の外側断面幅よりも小さい外側断面幅を有しているハウジング３０２の一部分により、タブは、プライミングの準備ができた状態において、入口ポート３００をタブと第１の端部３２６との間に保持することができる。
【００５２】
プライミング装置３００をプライミング状態にするために、医療用コネクタ９００をハウジング３０２に向かって移動させることで、ルアー部分９０６を入口ポート３１０の中へと前進させて、ハウジング３０２を医療用コネクタ９００に流体に関して結合させることにより、バルブ３１４が開かれ、医療用コネクタ９００とチャンバ３０８との間の流体経路が生み出される。いくつかの実施形態においては、ルアー部分９０６が入口ポート３１０に向かって前進させられるとき、入口ポート３１０の上面３３４が細長い部材９２０に係合し、ポスト９１０を入口ポート９０２に向かって移動させることにより、経路９０８が開かれる。ルアー部分９０６が入口ポート３１０の中へと前進させられるにつれて、ルアー部分９０６が通路３２０内に受け入れられ、入口ポート３１０が開かれる。いくつかの実施形態において、ルアー部分９０６は、バルブ３１４のヘッド部３１８をチャンバ入口３２２に向かって押すことで、ベローズ部３１６をつぶし、バルブ３１４を開く。
【００５３】
ねじ山３３６が、入口ポート３１０の外面から周状に外側へと延びている。医療用コネクタ９００がハウジング３０２に向かって移動させられ、軸３３０を中心にして回転させられるとき、ねじ山３３６は、出口ポート９１２の内面に位置する相手方のねじ山９１４に係合し、ハウジング３０２を医療用コネクタ９００に螺合させる。
【００５４】
プライミング状態において、医療用コネクタ９００へと接続されたシステムが、システムから医療用コネクタ９００を通ってプライミング装置３００のチャンバ３０８へとガスを移すことによってプライミングされる。システムからの流体および気体が、チャンバ３０８に進入する。開口部は、チャンバ３０８の上方の表面２５８を貫いて配置されているため、ガスを、チャンバ３０８に溜まる流体によって妨げられることなく、表面２５８の開口を通ってチャンバ３０８から排出することができる。フィルタ３３８が疎水性フィルタである場合、開口部３１２に配置されたフィルタ３３８は、チャンバ３０８内に流体を保持しつつハウジング３０２からガスを出すことを可能にし、プライミング装置３００を任意の向きで使用することを可能にする。
【００５５】
プライミング後の状態において、ハウジング３０２がカバー本体３０４から切り離される一方で、カバー本体３０４は医療用コネクタ９００に結合したままである。プライミング装置３００は、入口ポート３１０のねじ山３３６を医療用コネクタ９００のねじ山９１４から外し、プライミング装置３００を第１の端部３２６から遠ざかるように動かすことによって、カバー本体３０４から切り離される。１つ以上のチャネル３４２が、カバー本体３０４の外面に沿って延びる。いくつかの実施形態においては、１つ以上のチャネル３４２およびリブ３５４が、カバー本体３０４の外面を巡って交互に配置される。リブ３５４およびチャネル３４２の各々は、カバー本体３０４の剛性を高めるとともに、軸３３０を中心にしてハウジング３０２およびカバー本体３０４のいずれかを結合させ、切り離し、あるいは回転させる際により大きなねじりのてこ比を提供する。
【００５６】
蓋３０６が、ヒンジ３４４によってカバー本体３０４の第２の端部３２８に回転可能に結合している。いくつかの実施形態において、ヒンジ３４４は、リビングヒンジである。いくつかの実施形態において、蓋３０６の一部分３５６は、カバー本体３０４の第２の端部３２８の内側断面幅に等しい断面幅を有する。ハウジング３０２がカバー本体３０４から切り離された後、蓋３０６は、蓋３０６の小さくされた断面幅を有する部分３５６がカバー本体３０４の第２の端部３２８に受け入れられて、第２の端部３２８を覆うように、ヒンジ３４４を中心にして回転させられる。
【００５７】
次に図９Ａ〜図１２Ｂを参照すると、医療用コネクタ９００および本開示の態様によるプライミング装置４００のいくつかの実施形態が示されている。プライミング装置４００は、ハウジング４０２とスリーブ４０４とを備え、スリーブ４０４は、ハウジング４０２を医療用コネクタ９００と相互接続する。スリーブ４０４は、開いた第１の端部４２６と、ハウジング４０２に結合した閉じた第２の端部４２８と、第１の端部４２６と第２の端部４２８との間の軸４３０とを備える。スリーブ４０４は、スリーブ４０４を貫く１つ以上のウインドウ４６０を定めている。各々のウインドウ４６０は、各々のウインドウの底部から軸４３０に平行に第１の端部４２６に向かって途中まで延びるアーム４６２を備える。
【００５８】
図１０および図１１を参照すると、ハウジング４０２は、チャンバ４０８および入口ポート４１０を定めており、ここでチャンバ４０８および入口ポート４１０は、ハウジング４０２内で流体に関してつながっている。さらに、ハウジング４０２は、チャンバ４０８内からハウジング４０２の外部へと延びる開口部４１２を定めている。開口部４１２は、ハウジング４０２のうちの入口ポート４１０とは反対側の部分を通って延びる。開口部４１２は、ガスをチャンバ４０８から出すことを可能にする。フィルタ４３８が、開口部４１２に配置されている。いくつかの実施形態において、フィルタは、プライミング装置４００が医療用コネクタのプライミングに利用されるときに、ガスをチャンバ４０８から出すことを可能にするように構成された疎水性フィルタである。
【００５９】
各々のウインドウの底部の反対側の各々のアーム４６２の端部は、各々のアーム４６２の内面から軸４３０に向かって半径方向に延びる部材４６４を含む。各々の部材４６４は、斜面４６６と、斜面４６６に対して横方向に延びている係合面４６８と、斜面と係合面との間を移行する頂点領域４７０とを備える。いくつかの実施形態において、係合面４６８は、軸４３０に対して垂直である。
【００６０】
図１２Ａおよび図１２Ｂを参照すると、プライミング装置４００に結合した医療用コネクタ９００の一部分が示されている。説明の目的で、医療用コネクタ９００は、入口ポート（図示せず）と、出口ポート９１２と、入口ポートと出口ポート９１２との間の本体９０４とを有する雄のルアーコネクタとして示されている。ルアー部分９０６が、本体９０４の内部から出口ポート９１２に向かって延びている。流体経路が、入口ポート９０２から本体９０４およびルアー部分９０６を通って延びている。ポスト９１０が、医療用コネクタ９００が閉状態にあるとき、ルアー部分９０６の流体経路を通って延びる。図１２Ａに示される閉状態において、ポスト９１０は、ルアー部分９０６の開いた先端部を封じることで、流体経路を閉鎖する。いくつかの実施形態においては、細長い部材９２０が、ポスト９１０に接続され、ルアー部分９０６の外側に沿って出口ポート９１２に向かって延びている。医療用コネクタ９００が図１２Ｂに示される開状態にあるとき、ポスト９１０が入口ポート９０２に向かってルアー部分９０６の中へと後退させられることで、経路９０８が開かれる。
【００６１】
スリーブ４０４は、第１の端部４２６と第２の端部４２８との間で円筒状に形作られる。第１の端部４２６は、出口ポート９１２を受け入れるように構成された内側断面幅を備える。いくつかの実施形態において、第１の端部４２６の内側断面幅は、出口ポート９１２が第２の端部４２８に向かって部分的にカバー本体４０４へと圧入されるように、出口ポート９１２の外側断面幅に等しい。図９Ａおよび図１２Ａに示されるプライミングの準備ができた状態において、各々のアーム４６２の係合面４６８が、出口ポート９１２の縁部に接触して、医療用コネクタ９００が部材４６４を越えて挿入されることがないようにする。
【００６２】
プライミング装置４００を図９Ｂおよび図１２Ｂに示されるプライミング状態にするために、医療用コネクタ９００がプライミング装置４００に向かって移動させられ、各々の部材４６４の頂点領域４７０の間の断面幅が出口ポート９１２における本体９０４の外面以上となるように、アーム４６２を軸４３０から遠ざかる方向に撓ませる。各々のアーム４６２が撓むことで、医療用コネクタ９００を、各々の部材４６４の頂点領域４７０が本体９０４の外面に接触した状態で、部材４６４を越えて挿入することができる。医療用コネクタ９００がプライミング装置４００に向かって移動するとき、ルアー部分９０６が入口ポート４１０を過ぎて前進し、上面４３４が細長い部材９２０に係合する。医療用コネクタ９００がプライミング装置４００に向かって移動するとき、細長い部材９２０およびポスト９１０が入口ポート９０２に向かって後退することで、医療用コネクタ９００とチャンバ４０８との間の流体経路が生み出される。いくつかの実施形態においては、バルブが、ハウジング４０２内に配置され、入口ポート４１０からチャンバ４０８に向かって延びる。ルアー部分９０６が入口ポート４１０の中へと前進させられるにつれて、ルアー部分９０６が通路４２０内に受け入れられ、バルブを変位させ、入口ポート４１０を開く。いくつかの実施形態において、バルブは、ヘッド部およびベローズ部を含む。ルアー部分９０６が通路４２０内に受け入れられるとき、バルブのヘッド部がチャンバに向かって押されることで、ベローズ部がつぶれ、バルブが開く。
【００６３】
いくつかの実施形態においては、ねじ山（図示せず）が、入口ポート４１０の外面から周状に外側へと延びている。医療用コネクタ９００がハウジング４０２に向かって移動させられ、軸４３０を中心にして回転させられるとき、ねじ山は、出口ポート９１２の内面に位置する相手方のねじ山９１４に係合し、ハウジング４０２を医療用コネクタ９００に螺合させる。
【００６４】
プライミング状態において、医療用コネクタ９００へと接続されたシステムが、システムから医療用コネクタ９００を通ってプライミング装置４００のチャンバ４０８へとガスを移すことによってプライミングされる。ガスが流体経路を通ってチャンバ４０８へと移されるとき、ガスを、開口部４１２を通ってチャンバ４０８から出すことができる。いくつかの実施形態において、ガスは、システム内の流体をプライミング装置４００へと移動させることによってプライミング装置４００へと移される。フィルタ４３８が疎水性フィルタである場合、開口部４１２に配置されたフィルタ４３８は、チャンバ４０８内に流体を保持しつつハウジング４０２からガスを出すことを可能にし、プライミング装置４００を任意の向きで使用することを可能にする。
【００６５】
いくつかの実施形態においては、１つ以上のリブ４４０が、ハウジング４０２の外面に沿って第２の端部４２８と開口部４１２との間を延びる。あるいは、ハウジング４０２の外面が、第２の端部４２８と開口部４１２との間の１つ以上のチャネルを備える。リブ４４０またはチャネルは、プライミング装置４００の剛性を高めるとともに、プライミング装置４００を医療用コネクタ９００に結合させ、あるいは医療用コネクタ９００から切り離すときに、より大きなねじりのてこ比を提供する。
【００６６】
以上の説明は、本明細書に記載の種々の構成の実施を当業者にとって可能にするために提示されている。本主題の技術が、種々の図および構成を参照して詳細に記載されているが、これらがあくまでも説明の目的のためのものにすぎず、本主題の技術の範囲を限定するものとして解釈されてはならないことを、理解すべきである。
【００６７】
本主題の技術の実施について、多数の他のやり方が存在し得る。本明細書に記載の種々の機能および構成要素を、本主題の技術の範囲から逸脱することなく、本明細書に示されたやり方とは異なるやり方で実施することができる。これらの構成に対する種々の変更は、当業者にとって容易に明らかであり、本明細書で定義される一般的な原理は、他の構成にも適用可能である。したがって、本主題の技術の範囲から逸脱することなく、当業者であれば、本主題の技術に多数の変更および修正を加えることができる。
【００６８】
本明細書において使用されるとき、「および（ａｎｄ）」または「または（ｏｒ）」という用語によっていずれかを隔ててなる項目の列挙に関し、そのような項目の列挙に先行する「…のうちの少なくとも１つ」という表現は、全体としての列挙の全体を修飾するのではなく、むしろ列挙の各々の構成員（すなわち、各々の項目）を修飾する。「…のうちの少なくとも１つ」という表現は、列挙された各々の項目を少なくとも１つを選択することを必要とせず、むしろこの表現は、項目のうちの任意の１つを少なくとも１つ含むこと、および／または項目の任意の組み合わせを少なくとも１つ含むこと、および／または各々の項目を少なくとも１つ含むことを意味することができる。例として、「Ａ、Ｂ、およびＣのうちの少なくとも１つ」または「Ａ、Ｂ、またはＣのうちの少なくとも１つ」という表現は、それぞれ、Ａだけ、Ｂだけ、またはＣだけ、Ａ、Ｂ、およびＣの任意の組み合わせ、ならびに／あるいはＡ、Ｂ、およびＣの各々を少なくとも１つを指す。
【００６９】
さらに、「…を含む（ｉｎｃｌｕｄｅ）」、「…を有する（ｈａｖｅ）」、などの用語が本明細書または特許請求の範囲で使用される限りにおいて、そのような用語は、請求項においてつなぎの語として使用されるときの用語「…を備える（ｃｏｍｐｒｉｓｅ）」の解釈と同様のやり方で、包括的であるように意図される。「典型的」という用語は、本明細書において、「例、事例、または例示としての役割を果たす」ことを意味するために使用される。本明細書で「典型的」として説明されたいかなる実施形態も、必ずしも他の実施形態よりも好ましいまたは有利であると解釈されるべきではない。
【００７０】
単数形での要素への言及は、特に具体的に述べられない限り、「１つだけ」を意味するのではなく、むしろ「１つ以上」を意味するように意図される。「いくつか」という用語は、１つ以上を指す。本開示の各所において説明した種々の構成の構成要素の構造的および機能的な等価物であって、当業者にとって公知であり、あるいは後に当業者に知られることになるすべての構造的および機能的な等価物は、参照により本明細書に明確に組み込まれ、本主題の技術に包含されるように意図される。さらに、本明細書に開示したいかなる内容も、そのような開示が以上の説明において明示的に述べられているか否かにかかわらず、公衆への開放は意図されていない。
【００７１】
本主題の技術の特定の態様および実施形態を説明したが、これらはあくまでも例として提示されているにすぎず、本主題の技術の範囲を限定しようとするものではない。実際、本明細書に記載の新規な方法およびシステムは、その精神から逸脱することなく、さまざまな他の形態で具体化され得る。添付の特許請求の範囲およびそれらの等価物は、本主題の技術の範囲および精神に含まれるようなそのような形態または改変を包含するように意図されている。
【図１】
2022000166.tif 000003
【図２Ａ】
2022000166.tif 000004
【図２Ｂ】
2022000166.tif 000005
【図３】
2022000166.tif 000006
【図４】
2022000166.tif 000007
【図５】
2022000166.tif 000008
【図６】
2022000166.tif 000009
【図７】
2022000166.tif 000010
【図８】
2022000166.tif 000011
【図９Ａ】
2022000166.tif 000012
【図９Ｂ】
2022000166.tif 000013
【図１０】
2022000166.tif 000014
【図１１】
2022000166.tif 000015
【図１２Ａ】
2022000166.tif 000016
【図１２Ｂ】
2022000166.tif 000017
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
チャンバおよび入口ポートを定めており、前記チャンバおよび前記入口ポートは流体に関してつながっているハウジングであって、前記チャンバの中から該ハウジングの外部へと延びており、ガスを前記チャンバから出すことができるように構成された開口部と、
雄のルアーコネクタと結合するように構成された開いた第１の端部と、前記ハウジングに結合した第２の端部と、前記第１の端部と前記第２の端部との間の軸とを有しており、少なくとも１つのウインドウを定めているスリーブと、
各々のウインドウの底部から前記第１の端部に向かって延びているアームと、
各々のアームの内面から半径方向に延びており、各々が斜面と、該斜面に横方向に延びる係合面と、前記斜面と前記係合面との間を移行する頂点領域とを備えている部材と、
を備える、
プライミング装置。
【請求項２】
当該プライミング装置がプライミングの準備ができた状態にあるとき、前記雄のルアーコネクタは、前記スリーブへと部分的に挿入され、部材の前記係合面が、前記雄のルアーコネクタの下向きの縁部に係合する、請求項１に記載のプライミング装置。
【請求項３】
当該プライミング装置がプライミングの状態にあるとき、各々のアームは、前記頂点領域の間の断面幅が前記雄のルアーコネクタの外面に少なくとも等しくなるよう、前記軸から離れるように撓む、請求項１に記載のプライミング装置。
【請求項４】
前記入口ポートが、雄のルアーコネクタのステムの一部分を覆って前進させられて、前記ハウジングを前記雄のルアーコネクタに流体に関して接続することにより、前記雄のルアーコネクタと前記チャンバとの間の流体経路が生じる、請求項３に記載のプライミング装置。
【請求項５】
フィルタが、前記開口部に配置されている、請求項１に記載のプライミング装置。
【請求項６】
前記フィルタが疎水性フィルタを備える、請求項５に記載のプライミング装置。
【請求項７】
前記開口部は、前記ハウジングのうちの前記入口ポートとは反対側の部分を通って延在する、請求項１に記載のプライミング装置。
【請求項８】
前記スリーブの前記開いた第１の端部は、前記雄のルアーコネクタの出口ポートを受け入れるように構成された内側断面幅を備える、請求項１に記載のプライミング装置。
【請求項９】
前記第１の端部の前記内側断面幅は、前記出口ポートが前記スリーブの前記第２の端部に向かって部分的に前記スリーブへと圧入されるように、前記出口ポートの外側断面幅に等しい、請求項８に記載のプライミング装置。
【請求項１０】
前記プライミング装置がプライミングの準備ができた状態にあるとき、各々の部材の前記係合面が、前記出口ポートの縁部に接触して、前記雄のルアーコネクタの前記部材を越えての挿入を妨げる、請求項８に記載のプライミング装置。
【請求項１１】
前記雄のルアーコネクタが、入口ポートと、出口ポートと、前記入口ポートと前記出口ポートとの間の本体と、
前記本体の中から前記出口ポートに向かって延在するルアー部分であって、流体経路が前記入口ポートから前記本体及び前記ルアー部分を通って延在する、ルアー部分と、
前記流体経路を通って前記ルアー部分に延在するポストと、を備える、請求項１に記載のプライミング装置。
【請求項１２】
閉位置では、前記ポストは、前記ルアー部分の開いた先端部を封じることで、前記流体経路を閉鎖し、
開位置では、前記ポストが前記雄のルアーコネクタの前記入口ポートに向かって前記ルアー部分の中へと後退させられることで、前記流体経路が開かれる、請求項１１に記載のプライミング装置。
【請求項１３】
前記ハウジングに画定される前記入口ポートは、その外面から周状に外側へと延びているねじ山を有し、前記ねじ山は、前記出口ポートの内面に位置する相手方のねじ山に係合し、前記ハウジングを前記雄のルアーコネクタに螺合させるように構成される、請求項１１に記載のプライミング装置。
【請求項１４】
前記プライミング装置の剛性を高めるとともに、前記スリーブを、前記雄のルアーコネクタに結合させ、又は切り離す際に、より大きなねじりのてこ比を提供するように、前記ハウジングの外面は、前記スリーブの前記第２の端部と、前記開口部との間に、１つ以上のチャネルを備える、請求項１に記載のプライミング装置。
【請求項１５】
前記プライミング装置の剛性を高めるとともに、前記スリーブを、前記雄のルアーコネクタに結合させ、又は切り離す際に、より大きなねじりのてこ比を提供するように、前記スリーブの前記第２の端部と、前記開口部との間の前記ハウジングの外面に沿って延在する、１つ以上のリブを更に備える、請求項１に記載のプライミング装置。
【請求項１６】
チャンバおよび前記チャンバに流体に関してつながっている入口ポートを定めているハウジングであって、前記ハウジングのうちの前記入口ポートとは反対側の部分を通って延在する開口部を備え、前記開口部は、ガスを前記チャンバから出すことができるように構成される、ハウジングと、
雄のルアーコネクタと結合するように構成された開いた第１の端部と、前記ハウジングに結合した第２の端部と、を有するスリーブと、
前記スリーブを通して画定される少なくとも１つのウインドウであって、前記第１の端部に向かって延びているアームを備え、前記アームは、各々のアームの内面から半径方向に延びている少なくとも１つの部材を含む、少なくとも１つのウインドウと、
を備える、プライミング装置。
【請求項１７】
各々の部材が斜面と、該斜面から横方向に延びる係合面と、前記斜面と前記係合面との間を移行する頂点領域とを備える、請求項１６に記載のプライミング装置。
【請求項１８】
前記プライミング装置が、プライミングの準備ができた状態にあるとき、前記雄のルアーコネクタは、前記スリーブへと部分的に挿入され、前記部材の前記係合面が、前記雄のルアーコネクタの下向きの縁部に係合する請求項１７に記載のプライミング装置。
【請求項１９】
前記スリーブの前記第１の端部と前記第２の端部との間に軸が画定され、当該プライミング装置がプライミングの状態にあるとき、各々のアームは、前記頂点領域の間の断面幅が前記雄のルアーコネクタの外面に少なくとも等しくなるよう、前記軸から離れるように撓む、請求項１７に記載のプライミング装置。
【請求項２０】
前記プライミング装置の剛性を高めるとともに、前記スリーブを、前記雄のルアーコネクタに結合させ、又は切り離す際に、より大きなねじりのてこ比を提供するように、前記スリーブの前記第２の端部と、前記開口部との間の前記ハウジングの外面に沿って延在する、１つ以上のリブを更に備える、請求項１６に記載のプライミング装置。
【外国語明細書】
2022000166000001.pdf